(57)【要約】【課題】  簡単な構成でありながら、通気性に優れる瓦構造とする。【解決手段】  上部側の瓦１の頭部２を下部側の瓦１の尻部１３上に重ねて屋根面１５上に葺設され、瓦１と屋根面１５との間に空間部１６を形成するもので、瓦１の頭部２に設けられ、下部側の瓦１の尻部１３に接触することにより上下部の瓦の重なる端部間に隙間１４を形成する頭たれ３と、この頭たれ３に形成された通気孔４とを具備し、瓦１と屋根面１５との間に形成される空間部１６を隙間１４及び通気孔４を介して外部に連通させる。【選択図】      図５
2009030371.tif 000002
【特許請求の範囲】
【請求項１】
上部側の瓦の軒側端部を下部側の瓦の棟側端部上に重ねて屋根面上に葺設され、前記瓦と前記屋根面との間に空間部を形成するもので、
前記瓦の軒側端部に設けられ、下部側の瓦の棟側端部に接触することにより前記上下部の瓦の重なる端部間に隙間を形成する垂れ部と、
この垂れ部に形成された通気孔とを具備し、
前記瓦と前記屋根面との間に形成される空間部を前記隙間及び前記通気孔を介して外部に連通させることを特徴とする瓦構造。
【請求項２】
前記瓦の軒側端部の裏面に前記通気孔の奥側に位置して防水壁を設けたことを特徴とする請求項１記載の瓦構造。
【請求項３】
前記瓦の棟側端部の上面部に防水壁を設けたことを特徴とする請求項１記載の瓦構造。
【請求項４】
前記瓦は、連続する山谷部を有し、
前記通気孔は、前記山部側に設けられたことを特徴とする請求項１記載の瓦構造。
【請求項５】
前記瓦は、平板状をなすことを特徴とする請求項１記載の瓦構造。
【請求項６】
屋根面上に上部側の瓦の軒側端部を下部側の瓦の棟側端部上に重ねる状態で全面的に葺設し、前記瓦と前記屋根面との間に空間部を形成するもので、
前記瓦の軒側端部に下部側の瓦の棟側端部に接触することにより両者間の重なる端部間に隙間を形成する垂れ部を設け、
この垂れ部に前記瓦と前記屋根面との間に形成される空間部を外部に連通させるための通気孔を形成し、
前記屋根面とこの屋根面上に全面的に葺設される瓦との間に外部と連通する通気路を軒棟方向に沿って形成し、また、軒先部と棟部それぞれに外部と連通する通気路を持つことを特徴とする屋根構造。
【発明の詳細な説明】
【技術分野】
【０００１】
本発明は、建築物の屋根面に葺設される瓦の通気構造を改良した瓦構造及び屋根構造に関する。
【背景技術】
【０００２】
建築物の屋根裏空間には、湿気や熱気が滞留し易く、この湿気や熱気は、居住性を低下させるとともに、建築資材を劣化させたり、カビを発生させたりする。
【０００３】
そこで、従来においては、屋根面に葺設される瓦施工部分に換気機能を持たせるようにしたものが実施されている（例えば、特許文献１、特許文献２参照。）。
【特許文献１】実開平５−４２４５０号公報
【特許文献２】実用新案登録第３１１４６７９号公報
【発明の開示】
【発明が解決しようとする課題】
【０００４】
しかしながら、実開平５−４２４５０号に開示されるものは、瓦にその軒棟方向の全長に亘って通気孔を貫通するように形成していたため、通気孔が長くなり、通気抵抗が大きくなっていた。このため、満足な通気性能を得ることができないという問題があった。
【０００５】
また、実用新案登録第３１１４６７９号に開示されるものは、瓦の山部の裏側をその軒側端部から軒棟方向の略中央部に亘って凹状にへこませて通気口を形成するため、通気口の幅寸法が狭く、やはり通気性が劣るものとなっている。
【０００６】
また、両者とも、通気孔を長く形成したり、凹状の通気口を長く形成するため、生産が困難になるという問題があった。
【０００７】
本発明は上記事情に着目してなされたもので、その目的とするところは、簡単な構成で通気性に優れる瓦構造及び屋根構造を提供することにある。
【課題を解決するための手段】
【０００８】
上記課題を解決するため、請求項１記載の発明は、上部側の瓦の軒側端部を下部側の瓦の棟側端部上に重ねて屋根面上に葺設され、前記瓦と前記屋根面との間に空間部を形成するもので、前記瓦の軒側端部に設けられ、下部側の瓦の棟側端部に接触することにより前記上下部の瓦の重なる端部間に隙間を形成する垂れ部と、この垂れ部に形成された通気孔とを具備し、前記瓦と前記屋根面との間に形成される空間部を前記隙間及び前記通気孔を介して外部に連通させることを特徴とする。
【０００９】
また、請求項６記載の発明は、屋根面上に上部側の瓦の軒側端部を下部側の瓦の棟側端部上に重ねる状態で全面的に葺設し、前記瓦と前記屋根面との間に空間部を形成するもので、前記瓦の軒側端部に下部側の瓦の棟側端部に接触することにより両者間の重なる端部間に隙間を形成する垂れ部を設け、この垂れ部に前記瓦と前記屋根面との間に形成される空間部を外部に連通させるための通気孔を形成し、前記屋根面とこの屋根面上に全面的に葺設される瓦との間に外部と連通する通気路を軒棟方向に沿って形成し、また、軒先部と棟部それぞれに外部と連通する通気路を持つことを特徴とする。
【発明の効果】
【００１０】
本発明によれば、瓦の垂れ部に通気孔を形成することにより、上下部の瓦の重なる端部間に形成される広い隙間を通気路として利用でき、通気抵抗を減少して良好な通気性能を得ることができる。
【００１１】
また、瓦の垂れ部に短い通気孔を形成するだけで良いため、生産が容易となる。
【００１２】
さらに、通気孔の径を小さくしても、上下部の瓦の重なる端部間に形成される広い隙間を通気路として利用するため、通気性を良好に維持でき、通気孔の径を小さくする分、防水性を高めることができる。
【００１３】
また、屋根全体での通気が可能となり、通気層による遮断熱効果及び湿気の排出効果を高めることができる。
【発明を実施するための最良の形態】
【００１４】
以下、本発明の実施の形態を図面を参照して詳細に説明する。  
図１は、本発明の一実施の形態である屋根面上に全面的に多数個葺設される瓦１を示す斜視図である。図２（ａ）は瓦１を示す上面図で、図２（ｂ）はその下面図、図２（ｃ）はその正面図である。
【００１５】
瓦１は、一つ山型形状をなす和瓦で、その軒側端部（以下、頭部という）２には垂れ部（以下、頭たれという）３が形成されている。頭たれ３の下面部には軒棟方向に沿って通気孔（深さ略３ｍｍ）４が形成されている。通気孔４は山部側に形成され、瓦１の幅方向に所定間隔を存して平行に複数形成されている。また、頭たれ３の下面部には通気孔４の奥側に位置して防水壁としての水返し部（高さ略３ｍｍ）５が設けられている。
【００１６】
なお、瓦１の上面部には一方の妻側端部に位置して嵌合凹部７，及びえり通気用の堤防（高さ４ｍｍ）８が形成され、また、棟側に位置して防水壁としての水返し部９ａ，９ｂ、及び桟峠通気用の堤防（高さ４ｍｍ）１０が形成されている。さらに、瓦１の下面部には他方の妻側端部に位置して嵌合突起部１１が突設されている。
【００１７】
瓦１は図３乃至図５にも示すように、棟側（上部側）の瓦１の頭部２を軒側（下部側）の瓦１の棟側端部（以下、尻部という）１３上に重ねて葺設される。このとき、瓦１の頭部２の頭たれ３は、下部側の瓦1の尻部１３上に接触され、重なる頭部２と尻部１３との間には隙間１４が形成されている。隙間１４は瓦１の幅寸法と略等しく広い幅寸法を有している。また、屋根面１５と瓦１の裏面との間には空間部（以下、屋根裏空間という）１６が形成されている。この屋根裏空間１６は、上下部の瓦１の重なる端部間の隙間１４及び通気孔４を介して外部に連通されている。
【００１８】
この構成により、屋根裏空間１６の空気は、瓦１の重なる端部間の隙間１４及び通気孔４を介して大気中に排出されることになり、良好な換気が可能になる。
【００１９】
ところで、上記したように構成される瓦１は図６にも示すように屋根面１５上に全面的に葺設されるが、この屋根面１５上に葺設される瓦１と屋根面１５との間には外部と連通する通気路１７が軒棟方向に沿って形成されている。
【００２０】
即ち、屋根面１５の軒部とこの軒部に配設される瓦１の頭部２との間、及び各瓦１の尻部１３と屋根面１５との間にはそれぞれ隙間１７ａが形成され、これら隙間１７ａを介して上記した各屋根裏空間１６が互いに連通されて外部に連通する通気路１７が構成されている。
【００２１】
この通気路１７の形成により、外気は矢印で示すように軒側、及び瓦１の通気孔４から流入して通気路１７に沿って屋根面１５と瓦１との間を流れ、棟側から排出されることになる。
【００２２】
上記したように、この実施の形態によれば、瓦１の頭部２の頭たれ３に通気孔４を形成するため、上下部の瓦１の重なる端部間に形成される広い隙間１４を通気経路として利用することができる。
【００２３】
従って、従来のように瓦の全長を貫通するように通気孔を形成するもの、また、瓦の軒棟方向の略中央部まで通気用の溝部を形成するものと比較して通気抵抗を少なくすることができ、良好な通気性能を得ることができる。
【００２４】
また、通気孔４の長さが短くなり、生産も容易となる。
【００２５】
さらに、通気孔４の径を小さくしても、広い隙間１４を通気経路として利用するため、通気性能を損なうことがなく、通気孔４の径を小さくする分、防水効果を高めることができる。
【００２６】
また、瓦１の頭部２の裏面側には通気孔４の奥側に位置して水返し部５ａを形成するため、通気孔４を短かくしても、漏水の防止が可能となる。
【００２７】
さらに、瓦１の尻部１３にも水返し部９ａを設けるため、漏水をより一層確実に防止することができる。
【００２８】
また、瓦１の水の集まる谷部ではなく、水の切れる山部側に通気孔４を設けるため、漏水の確実な防止が可能となる。
【００２９】
また、屋根面１５上に全面的に葺設される瓦１と屋根面１５との間には外部と連通する通気路１７を軒棟方向に沿って形成するため、屋根面全体での通気が可能になり、通気層による遮断熱効果、及び湿気の排出効果を高めることができる。
【００３０】
図７及び図８は本発明の第２の実施の形態である瓦を示すものである。
【００３１】
図７（ａ）は瓦２１を示す上面図、図７（ｂ）はその下面図、図７（ｃ）はその正面図である。
【００３２】
なお、上記第１の実施の形態で示した部分と同一部分については、同一番号を付してその詳細な説明は省略する。
【００３３】
上記第１の実施の形態においては、一つ山型の瓦について説明したが、この第２の実施の形態においては、二つ山型の瓦２１が用いられている。
【００３４】
二つ山型の瓦２１の頭部２２の頭たれ２３に複数本の通気孔２４が形成されている。通気孔２４は山側にそれぞれ形成されている。瓦２１の頭部２２には通気孔２４の奥側に位置して水返し部２５が形成されている。
【００３５】
このように構成される瓦２１は、図８に示すように棟側の瓦２１の頭部２２を軒側の瓦２１の尻部２６上に重ね合わせて屋根面上に葺設される。
【００３６】
この第２の実施の形態によっても上記した第１の実施の形態と同様の作用効果を奏する。
【００３７】
図９及び図１０は本発明の第３の実施の形態である瓦を示すものである。
【００３８】
図９（ａ）は瓦３１を示す上面図、図９（ｂ）はその下面図、図９（ｃ）はその正面図である。
【００３９】
なお、上記第１の実施の形態で示した部分と同一部分については、同一番号を付してその詳細な説明は省略する。
【００４０】
上記第１及び第２の実施の形態においては、山型の瓦について説明したが、この第３の実施の形態においては、平板型の瓦３１が用いられている。
【００４１】
この平板型の瓦３１の頭部３２の頭たれ３３には複数本の通気孔３４が形成されている。通気孔３４は頭たれ３３の略中央部に形成されている。瓦３１の頭部３２には通気孔３４の奥側に位置して水返し部３５が形成されている。
【００４２】
このように構成される瓦３１は、図１０に示すように棟側の瓦３１の頭部３２を軒側の瓦３１の尻部３６上に重ね合わせて屋根面上に葺設される。
【００４３】
この第３の実施の形態によっても上記した第１の実施の形態と同様の作用効果を奏する。
【００４４】
なお、この発明は、上述した実施の形態そのままに限定されるものではなく、実施段階ではその要旨を逸脱しない範囲で構成要素を変形して具体化できる。
【００４５】
また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００４６】
【図１】本発明の一実施の形態である瓦が葺設された状態を示す斜視図。
【図２】図１の瓦を示すもので、（ａ）はその上面図、（ｂ）はその下面図、（ｃ）はその正面図。
【図３】図１の棟側の瓦の頭部が軒側の瓦の尻部に重ねられた状態を示す斜視図。
【図４】図１及び図５中のＡ−Ａ′線に沿って示す断面図。
【図５】図１及び図５中のＢ−Ｂ′線に沿って示す断面図。
【図６】図１の瓦と屋根面との間に形成される通気路を示す図。
【図７】本発明の第２の実施形態である瓦を示すもので、（ａ）はその上面図、（ｂ）はその下面図、（ｃ）はその正面図。
【図８】図７の瓦がその頭部を軒側の瓦の尻部に重ね合わせた状態を示す斜視図。
【図９】本発明の第３の実施形態である瓦を示すもので、（ａ）はその上面図、（ｂ）はその下面図、（ｃ）はその正面図。
【図１０】図９の瓦がその頭部を軒側の瓦の尻部に重ね合わせた状態を示す斜視図。
【符号の説明】
【００４７】
１，２１，３１…瓦、２，２２，３２…頭部（軒側端部）、３…頭たれ（垂れ部）、４，２４，３４…通気孔、５，９ａ，９ｂ…防水壁、１３，２６，３６…尻部（棟側端部）、１４…隙間、１５…屋根面、１６…空間部、１７…通気路。
【図１】
2009030371.tif 000003
【図２】
2009030371.tif 000004
【図３】
2009030371.tif 000005
【図４】
2009030371.tif 000006
【図５】
2009030371.tif 000007
【図６】
2009030371.tif 000008
【図７】
2009030371.tif 000009
【図８】
2009030371.tif 000010
【図９】
2009030371.tif 000011
【図１０】
2009030371.tif 000012